(57)【要約】【課題】  安価で、また、操作性に優れた車両用表示装置を提供する。【解決手段】  車両用表示装置１００において、制御部１８０は、第１の操作に応じてラジオ受信部１２０及び／あるいは音源切替部１４０を制御してスピーカ４００から出力する音声の音源をＦＭラジオ受信部１２２、ＡＭラジオ受信部１２３及び外部機器３００から選択する音源選択制御と、第２の操作に応じてラジオ受信部１２０を制御してＦＭラジオ受信部１２２あるいはＡＭラジオ受信部１２３の受信周波数を変更する受信周波数変更制御と、第３の操作に応じて音量調節部１５０を制御して音声信号の音量レベルを変更する音量変更制御と、第４の操作に応じて表示部１１０を制御して表示部１１０の表示内容を変更する表示変更制御と、表示部１１０を制御して前記各制御における状態変化を表示部１１０に表示させる表示制御と、を行う。【選択図】  図２
2017061171.tif 000002
【特許請求の範囲】
【請求項１】
車両情報を表示する表示部とこの表示部を制御する制御部を備えた車両用表示装置であって、
アンテナから受信されたラジオ放送波信号のうちＦＭラジオ放送の所定の受信周波数での第１の音声信号を復調するＦＭラジオ受信部と、前記ラジオ放送波信号のうちＡＭラジオ放送の所定の受信周波数での第２の音声信号を復調するＡＭラジオ受信部と、を有し、前記ＦＭラジオ受信部からの前記第１の音声信号及び前記ＡＭラジオ受信部からの前記第２の音声信号のいずれか一方を出力するラジオ受信部と、
第３の音声信号を出力可能な外部機器と接続可能であり、前記外部機器から入力した前記第３の音声信号を出力する外部機器接続部と、
前記第１の音声信号、前記第２の音声信号及び前記第３の音声信号のうち１つの音声信号を入力し、入力した前記音声信号の音量レベルを調節して出力する音量調節部と、
前記音量調節部から入力された前記音声信号をスピーカへ出力する音声出力部と、
前記ラジオ受信部から入力される前記第１の音声信号あるいは前記第２の音声信号及び前記外部機器接続部から入力される前記第３の音声信号のいずれか一方を切り替えて前記音量調節部に出力可能な音源切替部と、
前記スピーカから出力される音声の音源を前記ＦＭラジオ受信部、前記ＡＭラジオ受信部及び前記外部機器から選択する第１の操作と、前記ＦＭラジオ受信部あるいは前記ＡＭラジオ受信部における前記受信周波数を変更する第２の操作と、前記音量調節部における前記音声信号の音量レベルを設定する第３の操作と、前記表示部の表示内容を変更する第４の操作と、を行う操作部と、を備え、
前記制御部は、前記第１の操作に応じて前記ラジオ受信部及び／あるいは前記音源切替部を制御して前記スピーカから出力する音声の音源を前記ＦＭラジオ受信部、前記ＡＭラジオ受信部及び前記外部機器から選択する音源選択制御と、前記第２の操作に応じて前記ラジオ受信部を制御して前記受信周波数を変更する受信周波数変更制御と、前記第３の操作に応じて前記音量調節部を制御して前記音声信号の音量レベルを変更する音量変更制御と、前記第４の操作に応じて前記表示部を制御して前記表示部の表示内容を変更する表示変更制御と、前記表示部を制御して前記各制御における状態変化を前記表示部に表示させる表示制御と、を行うこと、を特徴とする車両用表示装置。
【請求項２】
前記操作部は、前記第１の操作を行うための第１の操作手段と、前記第２、第３の操作を行うための第２の操作手段と、を備えることを特徴とする請求項１に記載の車両用表示装置。
【請求項３】
前記外部機器接続部は、前記外部機器の接続状態を検出する外部機器接続状態検出部を有し、
前記制御部は、前記外部機器接続状態検出部からの状態検出信号に基づいて前記外部機器が前記外部機器接続部に接続されたと判断した場合に、前記音源切替部を制御して前記スピーカから出力する音声の音源を前記外部機器に変更する、ことを特徴とする請求項１に記載の車両用表示装置。
【発明の詳細な説明】
【技術分野】
【０００１】
本発明は、二輪車や四輪車などの車両の計測項目を主に表示する車両用表示装置に関する。
【背景技術】
【０００２】
従来の車両用表示装置として、少なくとも車室内の運転席から中央部に至る大きさの表示部と、この表示部に少なくとも車両情報を含む画像を表示可能な表示手段と、前記表示部に表示される前記画像に対してジェスチャ操作可能な操作手段と、前記ジェスチャ操作に応じて前記表示手段における表示内容を変更可能な制御手段とを備えており、オーディオ装置、エアコン、ナビゲーション装置が、多重通信ラインを介して接続されるものが知られている（例えば、特許文献１参照）。
【先行技術文献】
【特許文献】
【０００３】
【特許文献１】特開２０１４−８８１８号公報
【発明の概要】
【発明が解決しようとする課題】
【０００４】
しかしながら、従来の車両用表示装置は、オーディオ装置が、車両用表示装置とは、別々に設けられているため、部品点数が多く、コストを抑えにくかった。また、近年では、コストを抑えた安価な車載装置が望まれているという問題点があった。
【０００５】
そこで本発明は、前記問題点を解消し、安価で、また操作性に優れた車両用表示装置を提供することを目的とするものである。
【課題を解決するための手段】
【０００６】
本発明は、前述の課題を解決するために、車両情報を表示する表示部とこの表示部を制御する制御部を備えた車両用表示装置であって、
アンテナから受信されたラジオ放送波信号のうちＦＭラジオ放送の所定の受信周波数での第１の音声信号を復調するＦＭラジオ受信部と、前記ラジオ放送波信号のうちＡＭラジオ放送の所定の受信周波数での第２の音声信号を復調するＡＭラジオ受信部と、を有し、前記ＦＭラジオ受信部からの前記第１の音声信号及び前記ＡＭラジオ受信部からの前記第２の音声信号のいずれか一方を出力するラジオ受信部と、
第３の音声信号を出力可能な外部機器と接続可能であり、前記外部機器から入力した前記第３の音声信号を出力する外部機器接続部と、
前記第１の音声信号、前記第２の音声信号及び前記第３の音声信号のうち１つの音声信号を入力し、入力した前記音声信号の音量レベルを調節して出力する音量調節部と、
前記音量調節部から入力された前記音声信号をスピーカへ出力する音声出力部と、
前記ラジオ受信部から入力される前記第１の音声信号あるいは前記第２の音声信号及び前記外部機器接続部から入力される前記第３の音声信号のいずれか一方を切り替えて前記音量調節部に出力可能な音源切替部と、
前記スピーカから出力される音声の音源を前記ＦＭラジオ受信部、前記ＡＭラジオ受信部及び前記外部機器から選択する第１の操作と、前記ＦＭラジオ受信部あるいは前記ＡＭラジオ受信部における前記受信周波数を変更する第２の操作と、前記音量調節部における前記音声信号の音量レベルを設定する第３の操作と、前記表示部の表示内容を変更する第４の操作と、を行う操作部と、を備え、
前記制御部は、前記第１の操作に応じて前記ラジオ受信部及び／あるいは前記音源切替部を制御して前記スピーカから出力する音声の音源を前記ＦＭラジオ受信部、前記ＡＭラジオ受信部及び前記外部機器から選択する音源選択制御と、前記第２の操作に応じて前記ラジオ受信部を制御して前記受信周波数を変更する受信周波数変更制御と、前記第３の操作に応じて前記音量調節部を制御して前記音声信号の音量レベルを変更する音量変更制御と、前記第４の操作に応じて前記表示部を制御して前記表示部の表示内容を変更する表示変更制御と、前記表示部を制御して前記各制御における状態変化を前記表示部に表示させる表示制御と、を行うこと、を特徴とする。
【発明の効果】
【０００７】
本発明によれば、所期の目的を達成することができ、安価で、また操作性に優れた車両用表示装置を得ることができる。
【図面の簡単な説明】
【０００８】
【図１】本発明の実施形態である車両用表示装置の正面図である。
【図２】同車両用表示装置の電気的構成を示すブロック図である。
【図３】同車両用表示装置の液晶表示パネルを示す図である。
【図４】同車両用表示装置の液晶表示パネルの表示例を示す図である。
【図５】同車両用表示装置の液晶表示パネルの表示例を示す図である。
【図６】同車両用表示装置における利用者による音源選択操作と、音源選択操作に伴って選択される音源との関係を示す状態遷移図である。
【図７】同車両用表示装置における音源選択制御を説明するためのフロー図である。
【図８】同車両用表示装置の液晶表示パネルの表示例を示す図である。
【図９】同車両用表示装置における受信周波数変更制御を説明するためのフロー図である。
【図１０】同車両用表示装置における音量レベル変更制御を説明するためのフロー図である。
【図１１】同車両用表示装置における利用者による表示変更操作と、表示変更操作に伴って変更される表示モードとの関係を示す状態遷移図である。
【図１２】同車両用表示装置における表示モード変更制御を説明するためのフロー図である。
【発明を実施するための形態】
【０００９】
以下に、本発明の実施形態である車両用表示装置１００を車両（四輪車）に搭載した場合を例にあげて説明する。
【００１０】
車両用表示装置１００は、例えば、ダッシュボードの中央より運転席側に設置されるものである。車両用表示装置１００は、車両情報を表示する計器の機能と、ラジオ放送の受信などのオーディオ機能を一体に備えたものであり、図１及び図２に示すように、表示部１１０と、ラジオ受信部１２０と、外部機器接続部１３０と、音源切替部１４０と、音量調節部１５０と、音声出力部１６０と、操作部１７０と、制御部１８０と、ＵＳＢ（ユニバーサル・シリアル・バス）コネクタ１９０と、から主に構成されている。
【００１１】
表示部１１０は、制御部１８０からの制御信号に基づいて所定の情報を表示するものである。本実施形態において、表示部１１０は、セグメント表示方式の液晶表示パネル１１１と、化粧板１１２に形成されるセグメント表示部１１３と、からなる。なお、表示部１１０は、本実施形態の構成に限定されるものではなく、ドット表示方式の表示パネルを用いるなど他のどのような構成でも構わない。
【００１２】
液晶表示パネル１１１は、複数の車両情報５１０やオーディオ機能に関する他の情報を表示可能な多目的表示部である。液晶表示パネル１１１は、車両情報５１０である燃料残量をバー表示する第１の表示領域１１１ａと、変速装置のシフト位置を文字表示する第２の表示領域１１１ｂと、車両に備えられるスピーカ４００に出力される音声の音源を表示する第３の表示領域１１１ｃと、スピーカ４００に出力される音声信号の出力レベル（音量レベル）を数字表示する第４の表示領域１１１ｄと、時刻を表示するＣＬＯＣＫ表示モード、総積算走行距離を表示するＯＤＯ表示モード、区間走行距離を表示するＴＲＩＰ表示モード、ＦＭラジオ放送またはＡＭラジオ放送の受信周波数を表示するＡＵＤＩＯ表示モードを切り替えて数字表示可能な第５の表示領域１１１ｅと、を備える。
第１の表示領域１１１ａは、燃料残量を示すシンボルマーク、最大目盛を示す「Ｆ」なる文字、最小目盛を示す「Ｅ」なる文字、燃料残量の現在値を示すバーセグメントを有する。
第２の表示領域１１１ｂは、シフト位置である「Ｐ」、「Ｒ」、「Ｎ」、「Ｄ」、「２」、「Ｌ」の文字を表示可能な１０セグメントを有する。
第３の表示領域１１１ｃは、音源を示す「ＦＭ」（ＦＭラジオ受信部１２２）、「ＡＭ」（ＡＭラジオ受信部１２３）、「ＡＵＸ」（外部機器３００）なる文字をそれぞれ含む３つの意匠セグメントを有する。
第４の表示領域１１１ｄは、音量レベルを示す「ＶＯＬ」なる文字セグメントと、２桁の数値を表示可能な２個の７セグメントと、を有する。
第５の表示領域１１１ｅは、表示モードを示す「ＣＬＫ」（ＣＬＯＣＫ表示モード）、「ＯＤＯ」（ＯＤＯ表示モード）、「ＴＲＩＰ」（ＴＲＩＰ表示モード）なる文字セグメントと、６桁の数値を表示可能な６個の７セグメントと、数値の単位を示す「ＭＨｚ」、「ｋＨｚ」、「ｋｍ」なる文字セグメントと、ＣＬＯＣＫ表示モードで用いられる「：」（コロン）なる記号セグメントと、小数点を示す「．」（ドット）なる記号セグメントと、を有する。図４（ａ）は、ＣＬＯＣＫ表示モードの表示例を示すものである。ＣＬＯＣＫ表示モードにおいては、第５の表示領域１１１ｅに「ＣＬＫ」なる文字セグメントが表示され、時刻が数字表示される。図４（ｂ）は、ＯＤＯ表示モードの表示例を示すものである。ＯＤＯ表示モードにおいては、第５の表示領域１１１ｅに「ＯＤＯ」なる文字セグメントが表示され、総積算走行距離が数字表示され、単位を示す「ｋｍ」なる文字セグメントが表示される。図４（ｃ）は、ＴＲＩＰ表示モードの表示例を示すものである。ＴＲＩＰ表示モードにおいては、第５の表示領域１１１ｅに「ＴＲＩＰ」なる文字セグメントが表示され、区間走行距離が数字表示され、単位を示す「ｋｍ」なる文字セグメントが表示される。図５は、ＡＵＤＩＯ表示モードの表示例を示すものである。図５（ａ）は、音源がＦＭラジオ（ＦＭラジオ受信部１２２）である場合の表示例であり、第５の表示領域１１１ｅにＦＭラジオ放送の受信周波数が数字表示され、単位を示す「ＭＨｚ」なる文字セグメントが表示される。また、第４の表示領域１１１ｄに、音量レベルを示す「ＶＯＬ」なる文字セグメントが表示され、音量レベルが数字表示される。第３の表示領域１１１ｃには表示モードに関わらず常時音源が表示されており、この場合はＦＭラジオを示す「ＦＭ」なる文字を含む意匠セグメントが表示される。図５（ｂ）は、音源がＡＭラジオ（ＡＭラジオ受信部１２３）である場合の表示例であり、ＡＵＤＩＯ表示モードにおいては、第５の表示領域１１１ｅにＡＭラジオ放送の受信周波数が数字表示され、単位を示す「ｋＨｚ」なる文字セグメントが表示される。また、第４の表示領域１１１ｄに、音量レベルを示す「ＶＯＬ」なる文字セグメントが表示され、音量レベルが数字表示される。第３の表示領域１１１ｃには、ＡＭラジオを示す「ＡＭ」なる文字を含む意匠セグメントが表示される。図５（ｃ）は、音源が外部機器３００である場合の表示例であり、第５の表示領域１１１ｅは非表示となる。また、第４の表示領域１１１ｄに、音量レベルを示す「ＶＯＬ」なる文字セグメントが表示され、音量レベルが数字表示される。第３の表示領域１１ｃには、外部機器３００を示す「ＡＵＸ」なる文字を含む意匠セグメントが表示される。
このほか、液晶表示パネル１１１は、ラジオ局を自動選局（シーク）中であることを示す「ＳＥＥＫ」なる文字セグメント１１１ｆや、ラジオ局を記憶（プリセット）中であることを示す「ＰＲＥＳＥＴ」なる文字セグメント１１１ｇを有する。
液晶表示パネル１１１は、各種セグメントの表示（点灯）、非表示（消灯）を適宜制御することで各種情報を表示する。
【００１３】
化粧板１１２は、例えば、ポリカーボネイトなどの光を透過する合成樹脂の母材と、母材の背面側に設けられる印刷層と、からなる。
【００１４】
化粧板１１２は、液晶表示パネル１１１に対応する窓部１１２ａと、操作部１７０のソース（ＳＲＣ）ボタン１７１、４方向スイッチ１７２、表示変更（ＤＳＰ）ボタン１７３、電源（ＰＷＲ）ボタン１７４、プリセット（ＰＲＥ）ボタン１７５やオーディオジャック１３１、ＵＳＢ端子１９０に対応する開口部１１２ｂと、セグメント表示部１１３と、を備える。窓部１１２ａは、液晶表示パネル１１１を視認することができる透過部であり、本実施形態においては印刷層が形成されていない部分である。開口部１１２ｂは、操作部１７０のソース（ＳＲＣ）ボタン１７１、４方向スイッチ１７２、表示変更（ＤＳＰ）ボタン１７３、電源（ＰＷＲ）ボタン１７４、プリセット（ＰＲＥ）ボタン１７５やオーディオジャック１３１、ＵＳＢコネクタ１９０を露出させる部分である。なお、化粧板１１２の窓部１１２ａ、開口部１１２ｂ、セグメント表示部１１３以外の部分には遮光性の印刷層が形成される。なお、化粧板１１２は、単一のものであってもよいし、複数の化粧板からなるものであってもよい。
【００１５】
セグメント表示部１１３は、化粧板１１２の背面側に設けられるＬＥＤ光源（図示しない）の光を透過可能であり、かつ、背後の光源を直視できない例えば乳白色の印刷層を所定の意匠パターン状に形成してなる。セグメント表示部１１３は、車両情報５１０である車速を表示する車速表示部１１３ａ、車両情報５１０である各種警告情報を表示する警告表示部１１３ｂ、１１３ｃ、１１３ｄ、１１３ｆ、１１３ｇ、１１３ｈ、１１３ｉ、１１３ｊを有する。車速表示部１１３ａは、「０」〜「１９９」までの数字を表示可能な「１」なる数字セグメント及び２桁の数字を示す２個の７セグメントと、単位を示す「ｋｍ／ｈ」なる文字セグメントと、を有する。警告表示部１１３ｂ〜１１３ｊは、左右方向指示、ブレーキ警告、シートベルト警告、ヘッドランプ上向き、充電警告、油圧警告、エンジン警告、燃料残量警告などの各種警告情報を示すシンボルマーク状の意匠セグメントを有する。セグメント表示部１１３は、各種セグメントに対応したＬＥＤ光源の発光、非発光を適宜切り替えることによって、各種情報を表示する。
【００１６】
ラジオ受信部１２０は、分波部１２１とＦＭラジオ受信部１２２とＡＭラジオ受信部１２３と受信バンド切替部１２４とラジオ動作制御部１２５とを備えたラジオチューナ集積回路からなり、ＦＭ／ＡＭラジオ放送を受信可能とするために車両に備えられるアンテナ２００に接続される。ラジオ受信部１２０は、アンテナ２００からのラジオ放送波信号２１０に対して信号処理（復調操作）を行い、変調操作される前の音声信号を再現し、後段の音源切替部１４０、音量調節部１５０、音声出力部１６０へ音声信号を出力する。
【００１７】
分波部１２１は、アンテナ２００からのラジオ放送波信号２１０をＦＭラジオ放送とＡＭラジオ放送の帯域で分離するフィルタであり、ＦＭラジオ受信部１２２とＡＭラジオ受信部１２３にそれぞれ適合した帯域のラジオ放送波信号を出力する。
【００１８】
ＦＭラジオ受信部１２２は、受信バンド切替部１２４の前段に配置され、ＦＭラジオ放送波信号から目的の周波数の放送波信号を選択受信するチューナー回路であり、ラジオ動作制御部１２５からの選局制御信号により、同調操作、周波数変換、ＦＭ復調操作等を行い、指定された受信周波数のＦＭラジオ放送局からの変調操作される前の音声信号（第１の音声信号）を再現し、出力する。
【００１９】
ＡＭラジオ受信部１２３は、受信バンド切替部１２４の前段に配置され、ＡＭラジオ放送波信号から目的の周波数の放送波信号を選択受信するチューナー回路であり、ラジオ動作制御部１２５からの選局制御信号により、同調操作、周波数変換、ＡＭ復調操作等を行い、指定された受信周波数のＡＭラジオ放送局からの変調操作される前の音声信号（第２の音声信号）を再現し、出力する。
【００２０】
受信バンド切替部１２４は、ＦＭラジオ受信部１２２からの第１の音声信号を入力する入力端子１２４ａと、ＡＭラジオ受信部１２３からの第２の音声信号を入力する入力端子１２４ｂと、後段の音源切替部１４０へ第１の音声信号または第２の音声信号を出力する出力端子１２４ｙと、出力端子１２４ｙへ接続する入力端子１２４ａ、１２４ｂを１つ選択するスイッチング素子１２４ｓと、を備えた切替器からなる。
【００２１】
ラジオ動作制御部１２５は、車両の利用者（主に運転者）による選局動作を行うために、ＦＭ受信周波数とＡＭ受信周波数と受信バンドの各設定値を制御部１８０から受信する手段を備えるとともに、ＦＭラジオ受信部１２２とＡＭラジオ受信部１２３に対してそれぞれＦＭ／ＡＭラジオ放送の受信周波数（ＦＭ受信周波数／ＡＭ受信周波数）の設定制御と、受信バンド切替部１２４に対してＦＭラジオ放送／ＡＭラジオ放送の選択制御と、を行う。制御部１８０からラジオ受信部１２０に対してＦＭ受信周波数の設定値とＡＭ受信周波数の設定値が送信されると、ラジオ動作制御部１２５はその設定値を受信し、ＦＭ受信周波数及びＡＭ受信周波数として記憶する。ＦＭ受信周波数の設定値は、ＦＭラジオ放送で用いられる周波数を表現できる値範囲と分解能を持つ値である。ＡＭ受信周波数の設定値は、ＡＭラジオ放送で用いられる周波数を表現できる値範囲と分解能を持つ値である。また同様に、制御部１８０からラジオ受信部１２０に対してＦＭラジオ放送またはＡＭラジオ放送のいずれかの受信バンドを示す設定値が送信され、ラジオ動作制御部１２５はその設定値を受信し、受信バンドとして記憶する。受信バンドの設定値は、「ＦＭ」あるいは「ＡＭ」の２値である。
【００２２】
制御部１８０からラジオ受信部１２０（ラジオ動作制御部１２５）に対してＦＭラジオ放送を示す受信バンドの設定値（「ＦＭ」）が送信されると、それに応じて、ＦＭラジオ受信部１２２からの第１の音声信号を出力する制御状態となるように、ラジオ動作制御部１２５から受信バンド切替部１２４へ切替信号が出力される。この切替信号により、受信バンド切替部１２４はＦＭラジオ受信部１２２からの入力端子１２４ａと出力端子１２４ｙとが接続される状態に選択制御され、ＦＭラジオ放送が選択受信され、第１の音声信号が音源切替部１４０に出力される状態に設定される。同様に、制御部１８０からラジオ受信部１２０（ラジオ動作制御部１２５）に対してＡＭラジオ放送を示す受信バンドの設定値（「ＡＭ」）が送信されると、それに応じて、ＡＭラジオ受信部１２３からの第２の音声信号を出力する制御状態となるように、ラジオ動作制御部１２５から受信バンド切替部１２４へ切替信号が出力される。この切替信号により、受信バンド切替部１２４はＡＭラジオ受信部１２３からの入力端子１２４ｂと出力端子１２４ｙとが接続される状態に選択制御され、ＡＭラジオ放送が選択受信され、第２の音声信号が音源切替部１４０に出力される状態に設定される。
ＦＭラジオが選択受信された状態で、制御部１８０からラジオ受信部１２０（ラジオ動作制御部１２５）に対してＦＭ受信周波数の設定値が送信されると、それに応じて、ＦＭラジオ放送波信号に対する選局動作が行われるように、ラジオ動作制御部１２５からＦＭラジオ受信部１２２へ選局制御信号が出力される。
また同様に、ＡＭラジオが選択受信された状態で、制御部１８０からラジオ受信部１２０（ラジオ動作制御部１２５）に対してＡＭ受信周波数の設定値が送信されると、それに応じて、ＡＭラジオ放送波信号に対する選局動作が行われるように、ラジオ動作制御部１２５からＡＭラジオ受信部１２３へ選局制御信号が出力される。
【００２３】
外部機器接続部１３０は、音響機器で一般的に利用されている接続端子であるオーディオジャック１３１と、外部機器接続状態検出部１３２と、を備える。オーディオジャック１３１は外部機器３００（主に携帯型音響機器）から出力された第３の音声信号３１０を入力して、後述する後段の音源切替部１４０、音量調節部１５０、音声出力部１６０へ第３の音声信号３１０を出力する。外部機器接続状態検出部１３２は、例えば、オーディオジャック１３１に対するオーディオプラグ挿抜に応じて導通するスイッチであり、外部機器３００の接続状態を検出し、制御部１８０に外部機器３００の接続状態を示す状態検出信号を出力する。なお、本実施形態では、外部機器３００から出力された第３の音声信号３１０を入力するのに、外部機器接続部１３０が有線接続のオーディオジャック１３１を備えた構成としているが、外部機器接続部１３０は、外部機器３００と無線接続によって接続される構成でもよい。例えば、外部機器接続部１３０が外部機器３００との間でＢｌｕｅｔｏｏｔｈ（登録商標）通信を行う機能を有し、Ｂｌｕｅｔｏｏｔｈ（登録商標）の通信規格で規定されている音声信号のデータのストリーミング配信を規定するアドバンスドオーディオディストリビューションプロファイル（Ａ２ＤＰ）等での接続を可能にする構成としてもよい。
【００２４】
音源切替部１４０は、音量調節部１５０の前段に設けられ、ラジオ受信部１２０からの第１，第２の音声信号を入力する入力端子１４０ａと、外部音響機器接続部１３０からの第３の音声信号３１０を入力する入力端子１４０ｂと、音量調節部１５０へ音声信号を出力する出力端子１４０ｙと、各入力端子１４０ａ、１４０ｂと出力端子１４０ｙとの間に配置され、２つの入力端子１４０ａ、１４０ｂのうちいずれか一方の入力端子と出力端子１４０ｙとを接続するスイッチング素子１４０ｓによって構成される。制御部１８０は、音源切替部１４０に対して、ラジオ受信部１２０から入力される第１の音声信号あるいは第２の音声信号か外部音響機器接続部１３０から入力される第３の音声信号３１０かいずれか１つを指定するための切替信号を出力する。音源切替部１４０は、その切替信号に応じて、選択された音声信号を入力する入力端子１４０ａ、１４０ｂと出力端子１４０ｙとを接続し、後段の音量調節部１５０に選択された音声信号を出力する。
【００２５】
音量調節部１５０は、減衰器１５１（電子ボリューム）と音量レベル指定部１５２とを備えた集積回路からなり、音源切替部１４０からの音声信号を入力し、その音声信号の音量レベルを調節し、音声出力部１６０へ出力する。音量レベル指定部１５２は、音量レベルの設定値を制御部１８０から受信する手段を備える。制御部１８０から音量調節部１５０（音量レベル指定部１５２）に対して音量レベルの設定値が送信されると、音量レベル指定部１５２は受信した設定値を音量レベル指定データとして記憶する。そうすると、音量レベル指定部１５２から減衰器１５１へ、音量レベル指定データの値に対応する減衰率を指定するための制御信号が送信される。減衰器１５１は、指定された減衰率で入力された音声信号の音量レベルを調節する。
【００２６】
音声出力部１６０は、増幅器（アンプ）からなり、音量調節部１５０によって調節された音声信号を入力し、スピーカ４００を駆動させるために所定の増幅率で増幅し、スピーカ４００へ音声信号を出力する。
【００２７】
操作部１７０は、利用者が各種設定を行うための操作を行うものであり、スピーカ４００へ出力する音声信号の音源をＦＭラジオ（ＦＭラジオ受信部１２２）、ＡＭラジオ（ＡＭラジオ受信部１２３）、外部機器３００のいずれかから選択する第１の操作を行うための押しボタンスイッチであるソース（ＳＲＣ）ボタン（第１の操作手段）１７１と、ＦＭラジオ及びＡＭラジオのいずれかの音源が選択されている場合にラジオ局の選局を行うために必要な受信周波数のアップダウン（変更）を指示する第２の操作を行うための押しボタンスイッチであるＴＵＮＥ−ＵＰキー１７２ａ及びＴＵＮＥ−ＤＯＷＮキー１７２ｂと音量調節部１５０に設定する音量レベルを増加または減少させる（変更させる）第３の操作を行うための押しボタンスイッチであるＶＯＬ−ＵＰキー１７２ｃ及びＶＯＬ−ＤＯＷＮキー１７２ｄを有する４方向スイッチ１７２（第２の操作手段）と、を備えている。操作部１７０は、その他に、液晶表示パネル１１１の表示モードを切り替える（表示内容を変更する）第４の操作を行うための押しボタンスイッチである表示変更（ＤＳＰ）ボタン１７３と、オーディオ機能のオンオフを切り替える第５の操作を行うための押しボタンスイッチである電源（ＰＷＲ）ボタン１７４と、ＦＭラジオ及びＡＭラジオのいずれかの音源が選択されている場合に選局を記憶（プリセット）させる第６の操作を行うための押しボタンスイッチであるプリセット（ＰＲＥ）ボタン１７５が設けられている。
【００２８】
制御部１８０は、所謂マイクロコンピュータからなり、ＣＰＵ１８１と、ＲＯＭ１８２と、ＲＡＭ１８３、とインターフェース１８４と、を備える。ＣＰＵ１８１は、ＲＯＭ１８２に記憶された所定の処理動作プログラムを読み出し、実行するものである。ＣＰＵ１８１は、本実施形態においては、利用者による操作部１７０の第１の操作に伴うスピーカ４００へ出力する音声の音源をＦＭラジオ、ＡＭラジオ、外部機器３００から選択する音源選択制御と、利用者による操作部１７０の第２の操作に伴うＦＭ受信周波数あるいはＡＭ受信周波数の設定値を変更する受信周波数変更制御と、操作部１７０の第３の操作に伴う音量調節部１５０の音量レベルの設定値を変更する音量変更制御と、利用者による操作部１７０の第４の操作に伴う液晶表示パネル１１１の表示モードを変更する表示変更制御と、表示部１１０に表示させるための各種車両情報５１０を入力する車両情報入力制御と、各制御における状態変化を表示部１１０に表示させるための表示制御と、を行う。このほか、ＣＰＵ１８１は、操作部１７０の第５の操作に伴う車両用表示装置１００のオーディオ機能（音声信号のスピーカ４００への出力）のオンオフを行うオンオフ制御と、操作部１７０の第６の操作に伴ってＦＭラジオ放送あるいはＡＭラジオ放送の選局を記憶するプリセット制御を行う。ＲＯＭ１８２は、前記処理動作プログラムなどが記憶されるものである。ＲＡＭ１８３は、ＣＰＵ１８１が前記処理動作プログラムを実行する際に演算結果などを一時的に記憶するための、汎用的なメモリである。インターフェース１８４はマイクロコンピュータに内蔵された様々な入出力デバイスであり、外部機器接続部１３０とラジオ受信部１２０と音源切替部１４０と音量調節部１５０と操作部１７０と表示部１１０とを制御部１８０に接続するとともに、各種車両情報５１０を制御部１８０に入力するためのものである。
【００２９】
ＵＳＢコネクタ１９０は、外部機器３００と有線接続するためのコネクタであり、例えば外部機器３００に電源を供給するものである。
【００３０】
車両用表示装置１００は、以上の構成を有する。次に、車両用表示装置１００のうち、特にオーディオ機能に関する動作について説明する。
【００３１】
まず、スピーカ４００から出力される音声の音源を選択するための機能について説明する。スピーカ４００から出力される音声の音源は、利用者がＳＲＣボタン１７１の押下操作（第１の操作）を行う、あるいは利用者がオーディオジャック１３１を介して外部機器３００を接続する操作を行うことによって選択される。図６は、利用者による操作と、その操作によって選択される音源との関係を示す状態遷移図である。
ＳＲＣボタン１７１の押下操作（イベントＥＶ１１）は、操作部１７０のＳＲＣボタン１７１の押下状態を制御部１８０が取得することで認識される。外部機器３００が車両用表示装置１００（オーディオジャック１３１）に接続されたこと（イベントＥＶ１２）は、外部機器接続部１３０（外部機器接続状態検出部１３２）から出力される状態検出信号を制御部１８０が受信することで認識される。
初期状態ＳＴ１０においては、制御部１８０は、音源としてＦＭラジオ（ＦＭラジオ受信部１２２）を選択する（ステートＳＴ１１）。制御部１８０は、利用者によるＳＲＣボタン１７１の押下操作（イベントＥＶ１１）を認識すると、押下操作毎に音源をＡＭラジオ（ＡＭラジオ受信部１２３）（ステートＳＴ１２）、外部機器３００（ステートＳＴ１３）、ＦＭラジオ（ステートＳＴ１１）、・・・の順に変更する。したがって、利用者はＳＲＣボタン１７１の押下操作を繰り返すことで任意の音源を選択することができる。また、外部機器３００が車両用表示装置１００（オーディオジャック１３１）に接続された（イベントＥＶ１２）場合、制御部１８０は、自動的に音源として外部機器３００（ステートＳＴ１３）を選択する。
【００３２】
このように音源が変更されると、制御部１８０は、図７に示すフロー図のように、ラジオ受信部１２０及び／あるいは音源切替部１４０に対し、選択された音源の音声信号がスピーカ４００に出力されるように音声信号の出力経路を変更する制御を行い、また、表示部１１０に対し、選択された音源を表示部１１０（液晶表示パネル１１１）に表示する制御を行う。
【００３３】
まず、制御部１８０は、選択された音源が外部機器３００であるか否かを判断する（ステップＳ１０１）。
【００３４】
選択された音源が外部機器３００ではなくＦＭラジオであった場合（ステップＳ１０１でＮＯ）、制御部１８０は、ステップＳ１０２に進む。制御部１８０は、ラジオ受信部１２０へＦＭラジオ放送を示す受信バンドの設定値（「ＦＭ」）を送信するとともに、音源切替部１４０へラジオ受信部１２０から入力される音声信号を指定するための切替信号（「ラジオ」）を出力する（ステップＳ１０２）。
すると、ラジオ受信部１２０のラジオ動作制御部１２５は、制御部１８０からの受信バンドの設定値を受信し、自身の受信バンドを「ＦＭ」に変更する。そして、受信バンドが「ＦＭ」であると（ステップＳ１０４でＹＥＳ）、ラジオ動作制御部１２５は、受信バンド切替部１２４へＦＭラジオ受信部１２２からの第１の音声信号を出力する制御状態となるように切替信号を出力する。受信バンド切替部１２４は、この切替信号を受信すると、ＦＭラジオ受信部１２２からの第１の音声信号を入力する入力端子１２４ａと出力端子１２４ｙとを接続する（ステップＳ１０５）。これにより、ラジオ受信部１２０はＦＭラジオ放送が選択受信され、第１の音声信号が出力される状態に設定される。
一方、音源切替部１４０は、制御部１８０からの切替信号を受信し、ラジオ受信部１２０から入力される音声信号（この場合は第１の音声信号）を入力する入力端子１４０ａと出力端子１４０ｙとを接続する（ステップＳ１０７）。
以上のように、制御部１８０の制御の元、ラジオ受信部１２０によって受信されたラジオ放送波信号２１０からＦＭラジオ受信部１２２によってＦＭラジオ放送の第１の音声信号が再現され、その第１の音声信号は音源切替部１４０を経て、音量調節部１５０と音声出力部１６０を通じてスピーカ４００へ出力されるようになる。
【００３５】
選択された音源が外部機器３００ではなくＡＭラジオであった場合（ステップＳ１０１でＮＯ）、制御部１８０は、ステップＳ１０２に進む。制御部１８０は、ラジオ受信部１２０へＡＭラジオ放送を示す受信バンドの設定値（「ＡＭ」）を送信するとともに、音源切替部１４０へラジオ受信部１２０から入力される音声信号を指定するための切替信号（「ラジオ」）を出力する（ステップＳ１０２）。
すると、ラジオ受信部１２０のラジオ動作制御部１２５は、制御部１８０からの受信バンドの設定値を受信し、自身の受信バンドを「ＡＭ」に変更する。そして、受信バンドが「ＡＭ」であると（ステップＳ１０４でＮＯ）、ラジオ動作制御部１２５は、受信バンド切替部１２４へＡＭラジオ受信部１２３からの第２の音声信号を出力する制御状態となるように切替信号を出力する。受信バンド切替部１２４は、この切替信号を受信すると、ＡＭラジオ受信部１２３からの第２の音声信号を入力する入力端子１２４ｂと出力端子１２４ｙとを接続する（ステップＳ１０６）。これにより、ラジオ受信部１２０はＡＭラジオが選択受信され、第２の音声信号が出力される状態に設定される。
一方、音源切替部１４０は、制御部１８０からの切替信号を受信し、ラジオ受信部１２０から入力される音声信号（この場合は第２の音声信号）を入力する入力端子１４０ａと出力端子１４０ｙとを接続する（ステップＳ１０７）。
以上のように、制御部１８０の制御の元、ラジオ受信部１２０によって受信されたラジオ放送波信号２１０からＡＭラジオ受信部１２３によってＡＭラジオ放送の第２の音声信号が再現され、その第２の音声信号は音源切替部１４０を経て、音量調節部１５０と音声出力部１６０を通じてスピーカ４００へ出力されるようになる。
【００３６】
選択された音源が外部機器３００であった場合（ステップＳ１０１でＹＥＳ）、制御部１８０は、音源切替部１４０へ外部機器接続部１３０から入力される第３の音声信号３１０を指定するための切替信号（「外部機器」）を出力する（ステップＳ１０３）。
すると、音源切替部１４０は、制御部１８０からの切替信号を受信し、外部機器接続部１３０から入力される第３の音声信号３１０を入力する入力端子１４０ｂと出力端子１４０ｙとを接続する（ステップＳ１０８）。
以上のように、制御部１８０の制御の元、外部機器３００から外部機器接続部１３０へ入力された第３の音声信号３１０は、音源切替部１４０を経て、音量調節部１５０と音声出力部１６０を通じてスピーカ４００へ出力されるようになる。
【００３７】
ステップＳ１０７あるいはステップＳ１０８に続いて、制御部１８０は、表示部１１０（液晶表示パネル１１１）へ制御信号を出力することで、第３の表示領域１１１ｃに選択された音源を表示させる（ステップＳ１０９）。図８は、このときの第３の表示領域１１１ｃの表示例を示すものである。ＦＭラジオが選択された場合は、図８（ａ）に示すように「ＦＭ」なる文字を含む意匠セグメントのみを表示させる。ＡＭラジオが選択された場合は、図８（ｂ）に示すように「ＡＭ」なる文字を含む意匠セグメントのみを表示させる。外部機器３００が選択された場合は、図８（ｃ）に示すように「ＡＵＸ」の文字を含む意匠セグメントのみを表示させる。
以上のように、制御部１８０の制御の元、選択された音源がＦＭラジオ、ＡＭラジオ、外部機器３００のいずれかであるかを示す表示が表示部１１０に表示されるようになる。
【００３８】
次に、利用者がラジオ放送局の選局を行うための機能について説明する。利用者は、音源としてＦＭラジオまたはＡＭラジオを選択しているとき、４方向スイッチ１７２のＴＵＮＥ−ＵＰキー１７２ａまたはＴＵＮＥ−ＤＯＷＮキー１７２ｂの押下操作（第２の操作）をすることで、選択しているＦＭラジオ放送またはＡＭラジオ放送の選局を行う。
ＴＵＮＥ−ＵＰキー１７２ａまたはＴＵＮＥ−ＤＯＷＮキー１７２ｂの押下操作は、４方向スイッチ１７２のＴＵＮＥ−ＵＰキー１７２ａまたはＴＵＮＥ−ＤＯＷＮキー１７２ｂの押下状態を制御部１８０が取得することで認識される。
利用者は、ＴＵＮＥ−ＵＰキー１７２ａの押下操作によって、受信周波数を一段階アップ（増加）させることができる。ラジオ放送で用いる上限の周波数に設定されていた場合は、ＴＵＮＥ−ＵＰキー１７２ａの押下操作によって、ラジオ放送で用いる下限の周波数が代わりに設定される。
同様に、利用者は、ＴＵＮＥ−ＤＯＷＮキー１７２ｂの押下操作によって、受信周波数を一段階ダウン（減少）させることができる。ラジオ放送で用いる下限の周波数に設定されていた場合は、ＴＵＮＥ−ＤＯＷＮキー１７２ｂの押下操作によって、ラジオ放送で用いる上限の周波数が代わりに設定される。
なお、ラジオ放送で用いる周波数は、例えば、ＦＭラジオ放送の場合は下限７６．０ＭＨｚから上限９０．０ＭＨｚまでの範囲において０．１ＭＨｚ間隔で選択可能な値であり、ＡＭラジオ放送の場合は下限５２２ｋＨｚから上限１６２９ｋＨｚまでの範囲において９ｋＨｚ間隔で選択可能な値である。これらの周波数範囲と周波数間隔を例にして以下説明する。
【００３９】
制御部１８０は、音源としてＦＭラジオまたはＡＭラジオが選択されているときに、利用者からのＴＵＮＥ−ＵＰキー１７２ａまたはＴＵＮＥ−ＤＯＷＮキー１７２ｂの押下操作を認識すると、図９のフロー図に示すような手順で、ラジオ受信部１２０に対し、ＦＭラジオまたはＡＭラジオの受信周波数を変更する制御を行うとともに、表示部１１０（液晶表示パネル１１１）に対し、ＦＭ受信周波数またはＡＭ受信周波数の設定値を表示させる制御を行う。
制御部１８０は、まず、選択されている音源がＦＭラジオであるかＡＭラジオであるかを判断する（ステップＳ２０１）。ＦＭラジオであった場合（ステップＳ２０１でＹＥＳ）、ステップＳ２０２に進む。ＡＭラジオであった場合（ステップＳ２０１でＮＯ）、ステップＳ２０３に進む。
制御部１８０は、選択されている音源がＦＭラジオであった場合（ステップＳ２０１でＹＥＳ）に、押下されたキーがＴＵＮＥ−ＵＰキー１７２ａであるかＴＵＮＥ−ＤＯＷＮキー１７２ｂであるかを判断する（ステップＳ２０２）。
【００４０】
押下されたキーがＴＵＮＥ−ＵＰキー１７２ａであった場合（ステップＳ２０２でＹＥＳ）、制御部１８０は、その操作をＦＭ受信周波数を一段階アップさせる利用者からの指示として扱い、現在設定されているＦＭ受信周波数の設定値Ｆｆｍ［ＭＨｚ］に０．１ＭＨｚだけ加算する（ステップＳ２０４）。但し、本実施形態では、０．１ＭＨｚ加算することによって周波数範囲の上限を超える場合、周波数範囲の加減である７６．０ＭＨｚが代わりに設定される。その後は、ステップＳ２０６に進む。
【００４１】
押下されたキーがＴＵＮＥ−ＤＯＷＮキー１７２ｂであった場合（ステップＳ２０２でＮＯ）、制御部１８０は、その操作をＦＭ受信周波数を一段階ダウンさせる利用者からの指示として扱い、現在設定されているＦＭ受信周波数の設定値Ｆｆｍ［ＭＨｚ］に０．１ＭＨｚだけ減算する（ステップＳ２０５）。但し、本実施形態では、０．１ＭＨｚ減算することによって周波数範囲の下限を超える場合、周波数範囲の上限である９０．０ＭＨｚが代わりに設定される。その後は、ステップＳ２０６に進む。
【００４２】
ステップＳ２０４またはステップＳ２０５のＦＭ受信周波数の設定値アップダウン制御に続いて、ラジオ受信部１２０へステップＳ２０４またはステップＳ２０５で算出したＦＭ受信周波数の設定値Ｆｆｍを送信する（ステップＳ２０６）。
すると、ラジオ受信部１２０のラジオ動作制御部１２５はその設定値Ｆｆｍを受信し、自身のＦＭ受信周波数として記憶する。これに応じて、ＦＭラジオ放送波信号に対する選局動作が行われるように、ラジオ動作制御部１２５からＦＭラジオ受信部１２２へ選局制御信号が出力される。ＦＭラジオ受信部１２２は、その選局制御信号により、同調操作、周波数変換、ＦＭ復調操作等を行い、指定された受信周波数のラジオ放送局からの変調操作される前の第１の音声信号を再現し、出力する（ステップＳ２０７）。その後は、ステップＳ２１２に進む。
【００４３】
制御部１８０は、選択されている音源がＡＭラジオであった場合（ステップＳ２０１でＮＯ）に、押下されたキーがＴＵＮＥ−ＵＰキー１７２ａであるかＴＵＮＥ−ＤＯＷＮキー１７２ｂであるかを判断する（ステップＳ２０３）。
押下されたキーがＴＵＮＥ  ＵＰキー１７２ａであった場合（ステップＳ２０３でＹＥＳ）、制御部１８０は、その操作をＡＭ受信周波数を一段階アップさせる利用者からの指示として扱い、現在設定されているＡＭ受信周波数の設定値Ｆａｍ［ｋＨｚ］に９ｋＨｚだけ加算する（ステップＳ２０８）。但し、この実施例では、９ｋＨｚ加算することによって周波数範囲の上限を超える場合、周波数範囲の下限である５２２ｋＨｚが代わりに設定される。その後は、ステップＳ２１０に進む。
押下されたキーがＴＵＮＥ−ＤＯＷＮキー１７２ｂであった場合（ステップＳ２０３でＮＯ）、制御部１８０は、その操作をＡＭ受信周波数を一段階ダウンさせる利用者からの指示として扱い、現在設定されているＡＭ受信周波数Ｆａｍ［ｋＨｚ］に９ｋＨｚだけ減算する（ステップＳ２０９）。但し、９ｋＨｚ減算することによって周波数範囲の下限を超える場合、周波数範囲の上限である１６２９ｋＨｚが代わりに設定される。その後は、ステップＳ２１０に進む。
【００４４】
ステップＳ２０８またはステップＳ２０９におけるＡＭ受信周波数の設定値アップダウン制御に続いて、制御部１８０は、ラジオ受信部１２０へステップＳ２０８またはステップＳ２０９で算出したＡＭ受信周波数の設定値Ｆａｍを送信する（ステップＳ２１０）。
すると、ラジオ受信部１２０のラジオ動作制御部１２５はその設定値Ｆａｍを受信し、自身のＡＭ受信周波数として記憶する。これに応じて、ＡＭラジオ放送波信号に対する選局動作が行われるように、ラジオ動作制御部１２５からＡＭラジオ受信部１２３へ選局制御信号が出力される。ＡＭラジオ受信部１２３は、その選局制御信号により、同調操作、周波数変換、ＡＭ復調操作等を行い、指定された受信周波数のラジオ放送局からの変調操作される前の第２の音声信号を再現し、出力する（ステップＳ２１１）。その後は、ステップＳ２１２に進む。
以上のように、制御部１８０の制御の元、利用者は、音源としてＦＭラジオまたはＡＭラジオを選択しているとき、第２の操作手段である４方向スイッチ１７２のＴＵＮＥ−ＵＰキー１７２ａまたはＴＵＮＥ−ＤＯＷＮキー１７２ｂの押下操作をすることで所望のラジオ放送局を選局することができる。
【００４５】
ステップＳ２０７またはステップＳ２１１の制御に続いて、制御部１８０は、液晶表示パネル１１１の表示モードがＡＵＤＩＯ表示モードであるか否かを判断する（ステップＳ２１２）。
表示モードがＡＵＤＩＯ表示モードである場合（ステップＳ２１２でＹＥＳ）、制御部１８０は、表示部１１０（液晶表示パネル１１１）に制御信号を出力し、液晶表示パネル１１１の第５の表示領域１１１ｅにＦＭ受信周波数またはＡＭ受信周波数の現在値（現在の設定値Ｆｆｍ、Ｆａｍ）を表示させる（ステップＳ２１３）。このときの第５の表示領域１１１ｅの表示例は、ＦＭ受信周波数については図５（ａ）に示す通りであり、ＡＭ受信周波数については図５（ｂ）に示す通りである。
表示モードがＡＵＤＩＯ表示モードでない場合（ステップＳ２１２でＮＯ）、制御部１８０は、表示部１１０（液晶表示パネル１１１）に制御信号を出力せず（表示更新せず）、制御を終了する。
以上のように、制御部１８０の制御の元、利用者は、ＡＵＤＩＯ表示モードにおいて、現在のＦＭ受信周波数またはＡＭ受信周波数を視認することができる。
【００４６】
次に、音量調節部１５０における音量レベルを増減調節するための機能について説明する。利用者は４方向スイッチ１７２のＶＯＬ−ＵＰキー１７２ｃまたはＶＯＬ−ＤＯＷＮキー１７２ｄの押下操作（第３の操作）をすることで音量調節部１５０からスピーカ４００に出力される音声信号の音量レベルを調節する。
ＶＯＬ−ＵＰキー１７２ｃまたはＶＯＬ−ＤＯＷＮキー１７２ｄの押下操作は、４方向スイッチ１７２のＶＯＬ−ＵＰキー１７２ｃまたはＶＯＬ−ＤＯＷＮキー１７２ｄの押下状態を制御部１８０が取得することで認識される。
利用者は、ＶＯＬ−ＵＰキー１７２ｃの押下操作によって、音量レベルを一段階増加させることができる。同様に、利用者は、ＶＯＬ−ＤＯＷＮキー１７２ｄの押下操作によって、音量レベルを一段階減少させることができる。
【００４７】
制御部１８０は、利用者からのＶＯＬ−ＵＰキー１７２ｃまたはＶＯＬ−ＤＯＷＮキー１７２ｄの押下操作を認識すると、図１０のフロー図に示すような手順で、音量調節部１５０に対し、音量レベルを変更する制御を行うとともに、表示部１１０（液晶表示パネル１１１）に対し、その音量レベルを表示する制御を行う。
制御部１８０は、まず、押下されたキーがＶＯＬ−ＵＰキー１７２ｃであるかＶＯＬ−ＤＯＷＮキー１７２ｄであるかを判断する（ステップＳ３０１）。
押下されたキーがＶＯＬ−ＵＰキー１７２ｃであった場合（ステップＳ３０１でＹＥＳ）、制御部１８０は、その操作を音量調節部１５０における音量レベルを一段階アップさせる利用者からの指示として扱い、現在設定されている音量レベルの設定値をインクリメント（１増やす）する（ステップＳ３０２）。その後は、ステップＳ３０４に進む。
押下されたキーがＶＯＬ−ＤＯＷＮキー１７２ｄであった場合（ステップＳ３０１でＮＯ）、制御部１８０は、その操作を音量調節部１５０における音量レベルを一段階ダウンさせる利用者からの指示として扱い、現在設定されている音量レベルの設定値をデクリメント（１減らす）する（ステップＳ３０３）。その後は、ステップＳ３０４に進む。
【００４８】
ステップＳ３０２またはステップＳ３０３の音量レベルの設定値アップダウン制御に続いて、制御部１８０は、音量調節部１５０へステップＳ３０２またはステップＳ３０３で算出した音量レベルの設定値を送信する（ステップＳ３０４）。
すると、音量調節部１５０の音量レベル指定部１５２は、その設定値を受信し、自身の音量レベル指定データとして記憶する。それに応じて、音量レベル指定部１５２から減衰器１５１へ、音量レベル指定データの値に対応する減衰率を指定するための制御信号が送信される。減衰器１５１は、指定された減衰率で、入力された音声信号の音量レベルを調節する（ステップＳ３０５）。
以上のように、制御部１８０の制御の元、利用者は、第２の操作手段である４方向スイッチ１７２のＶＯＬ−ＵＰキー１７２ｃまたはＶＯＬ−ＤＯＷＮキー１７２ｄの押下操作をすることで所望の音量レベルでスピーカ４００から出力される音声を聴くことができる。
【００４９】
ステップＳ３０５の制御に続いて、制御部１８０は、液晶表示パネル１１１の表示モードがＡＵＤＩＯ表示モードであるか否かを判断する（ステップＳ３０６）。
表示モードがＡＵＤＩＯ表示モードである場合（ステップＳ３０６でＹＥＳ）、制御部１８０は、表示部１１０（液晶表示パネル１１１）に制御信号を出力し、液晶表示パネル１１１の第４の表示領域１１１ｄに現在の音量レベル（の設定値）を表示させる（ステップＳ３０７）。このときの第４の表示領域１１１ｄの表示例は、図５に示す通りである。
表示モードがＡＵＤＩＯ表示モードでない場合（ステップＳ３０６でＮＯ）、制御部１８０は、表示部１１０（液晶表示パネル１１１）に制御信号を出力せず（表示更新せず）、制御を終了する。
以上のように、制御部１８０の制御の元、利用者は、ＡＵＤＩＯ表示モードにおいて、現在の音量レベルを視認することができる。
【００５０】
次に、液晶表示パネル１１１の表示モードを切り替えるための機能について説明する。前述の通り、本実施形態において、液晶表示パネル１１１の第５の表示領域１１１ｅは、ラジオ放送の受信周波数の表示の他にも、時刻の表示、総積算走行距離の表示及び区間走行距離の表示をするためにも用いられる。利用者は、ＤＳＰボタン１７３の押下操作（第４の操作）によって液晶表示パネル１１１の表示モードを変更することで、第５の表示領域１１１ｅの表示内容を切り替えることができる。図１１の状態遷移図は、利用者による第４の操作とその操作によって切り替えられる表示モードとの関係を示している。
ＤＳＰボタン１７３の押下操作（イベントＥＶ２１）は、操作部１７０のＤＳＰボタン１７３の押下状態を制御部１８０が取得することで認識される。
利用者は、ＤＳＰボタン１７３の押下操作（イベントＥＶ２１）を繰り返すことで、液晶表示パネル１１１に適用される表示モードを順繰りに変更することができる。液晶表示パネル１１１の表示モードは、初期状態（ステートＳＴ２０）においては、ＣＬＯＣＫ表示モード（ステートＳＴ２１）が選択される。そして、ＤＳＰボタン１７３の押下操作（イベントＥＶ２１）毎に、ＡＵＤＩＯ表示モード（ステートＳＴ２２）、ＯＤＯ表示モード（ステートＳＴ２３）、ＴＲＩＰ表示モード（ステートＳＴ２４）、ＣＬＯＣＫ表示モード（ステートＳＴ２１）、・・・の順に切り替えられる。表示モードがＡＵＤＩＯ表示モード（ステートＳＴ２２）に切り替わった場合の表示内容には、音源としてＦＭラジオまたはＡＭラジオを選択していた場合の第５の表示領域１１１ｅにおけるラジオ放送の受信周波数の表示のほか、第４の表示領域１１１ｄにおける音量レベルの表示も含まれる。なお、ラジオ放送の受信周波数変更方法と音量レベルの調節方法については前述した通りである。
【００５１】
表示モードが切り替わると、制御部１８０は、図１２のフロー図に示すような手順で、表示部１１０（液晶表示パネル１１１）に対し、選択された表示モードの表示項目が表示されるように、表示部１１０（液晶表示パネル１１１）の表示内容を変更する制御を行う。
制御部１８０は、まず、選択された表示モードがＣＬＯＣＫ表示モード（ステートＳＴ２１）であるか、ＡＵＤＩＯ表示モード（ステートＳＴ２２）であるか、ＯＤＯ表示モード（ステートＳＴ２３）であるか、ＴＲＩＰ表示モード（ステートＳＴ２４）であるかを判断する（ステップＳ４０１）。
【００５２】
選択された表示モードがＣＬＯＣＫ表示モード（ステートＳＴ２１）であった場合（ステップＳ４０１でＣＬＯＣＫ）、制御部１８０は、表示部１１０（液晶表示パネル１１１）に制御信号を出力し、図４（ａ）の表示例に示すように、第５の表示領域１１１ｅに現在の時刻を表示させる（ステップＳ４０２）。その後は、ステップＳ４０８に進む。
【００５３】
選択された表示モードがＡＵＤＩＯ表示モード（ステートＳＴ２２）であった場合（ステップＳ４０１でＡＵＤＩＯ）、制御部１８０は、表示部１１０（液晶表示パネル１１１）に制御信号を出力し、図５の表示例に示すように、液晶表示パネル１１１の第４の表示領域１１１ｄに音量レベルの設定値を表示させる（ステップＳ４０３）。
続いて、制御部１８０は、選択されている音源がＦＭラジオまたはＡＭラジオか、外部機器３００かを判断する（ステップＳ４０４）。
選択されている音源がＦＭラジオまたはＡＭラジオであった場合（ステップＳ４０４でＮＯ）、制御部１８０は、表示部１１０（液晶表示パネル１１１）に制御信号を出力し、第５の表示領域１１１ｅにＦＭ受信周波数またはＡＭ受信周波数を表示させる（ステップＳ４０５）。その後は、ステップＳ４０８に進む。このときの第５の表示領域１１１ｅの表示例は、ＦＭ受信周波数については図５（ａ）に示す通りであり、ＡＭ受信周波数については図５（ｂ）に示す通りである。
選択されている音源が外部機器３００であった場合（ステップＳ４０４でＹＥＳ）、制御部１８０は、表示部１１０（液晶表示パネル１１１）に制御信号を出力し、図５（ｃ）の表示例に示すように、第５の表示領域１１１ｅの７セグメント、記号セグメント、文字セグメントを非表示とし、ステップＳ４０８に進む。
【００５４】
選択された表示モードがＯＤＯ表示モード（ステートＳＴ２３）であった場合（ステップＳ４０１でＯＤＯ）、制御部１８０は、表示部１１０（液晶表示パネル１１１）に制御信号を出力し、図４（ｂ）の表示例に示すように、第５の表示領域１１１ｅに、各種車両情報５１０の入力を通じて取得した総積算走行距離を表示させる（ステップＳ４０６）。その後は、ステップＳ４０８に進む。
【００５５】
選択された表示モードがＴＲＩＰ表示モード（ステートＳＴ２４）であった場合（ステップＳ４０１でＴＲＩＰ）、制御部１８０は、表示部１１０（液晶表示パネル１１１）に制御信号を出力し、図４（ｃ）の表示例に示すように、第５の表示領域１１１ｅに、各種車両情報５１０の入力を通じて取得した区間走行距離を表示させる（ステップＳ４０７）。その後は、ステップＳ４０８に進む。
【００５６】
ステップＳ４０２、ステップＳ４０４、ステップＳ４０５、ステップＳ４０６またはステップＳ４０７の制御に続いて、制御部１８０は、表示部１１０（液晶表示パネル１１１）に制御信号を出力し、第５の表示領域１１１ｅに表示モードに応じた意匠セグメントを表示させる（ステップＳ４０８）。表示モードに応じた第５の表示領域１１１ｅの表示パターンは図４及び図５の表示例に示す通りである。ＣＬＯＣＫ表示モード（ステートＳＴ２１）の場合は、図４（ａ）の表示例に示すように、３つの文字セグメントのうち「ＣＬＫ」なる文字セグメントを表示させる。ＯＤＯ表示モード（ステートＳＴ２３）の場合は、図４（ｂ）の表示例に示すように、３つの文字セグメントのうち「ＯＤＯ」なる文字セグメントのみを表示させる。ＴＲＩＰ表示モード（ステートＳＴ２４）の場合は、図４（ｃ）の表示例に示すように、３つの文字セグメントのうち「ＴＲＩＰ」なる文字セグメントのみを表示させる。ＡＵＤＩＯ表示モード（ステートＳＴ２２）の場合は、図５の表示例に示すように、「ＣＬＫ」、「ＯＤＯ」、「ＴＲＩＰ」のいずれの文字セグメントも非表示とする。
以上のように、制御部１８０の制御の元、利用者はＤＳＰボタン１７３の押下操作をすることで所望の表示モードで車両情報またはオーディオ情報を視認することができる。
【００５７】
以上に示すように、本実施形態の車両用表示装置１００によれば、専用のオーディオ装置と車両用表示装置とでそれぞれ操作していた計器機能及びオーディオ機能を一つの装置に集約することができるため、安価で、操作性に優れたオーディオ装置一体型の車両用表示装置１００を得ることができる。また、車両内に専用のオーディオ装置を設けなくとも、車両用表示装置１００内にラジオ放送受信機能と外部機器３００からの第３の音声信号３１０を入力する機能を有し、スピーカ４００にラジオ放送の第１，第２の音声信号あるいは利用者が車両内に持ち込んだ携帯型音響機器等の外部機器３００からの第３の音声信号３１０を出力することができる。また、ＦＭラジオ、ＡＭラジオ、外部機器３００の音源選択の第１の操作と各音源における調整操作（第２、第３の操作）とを別々のＳＲＣボタン１７１、４方向スイッチ１７２で行うことで操作性を向上することができる。また、利用者が外部機器３００を接続したときに、車両用表示装置１００が外部機器３００の接続の認識を行い、自動的に音源を外部機器３００に切り換えて第３の音声信号３１０をスピーカ４００へ出力することから、さらに操作性を向上させることができる。
【００５８】
以上の作用及び効果は、以下の構成によって得ることができる。
車両情報を表示する表示部１１０とこの表示部１１０を制御する制御部１８０を備えた車両用表示装置１００であって、
アンテナ２００から受信されたラジオ放送波信号２１０のうちＦＭラジオ放送の所定の受信周波数での第１の音声信号を復調するＦＭラジオ受信部１２２と、ラジオ放送波信号２１０のうちＡＭラジオ放送の所定の受信周波数での第２の音声信号を復調するＡＭラジオ受信部１２３と、を有し、ＦＭラジオ受信部１２２からの前記第１の音声信号及びＡＭラジオ受信部１２３からの前記第２の音声信号のいずれか一方を出力するラジオ受信部１２０と、
第３の音声信号３１０を出力可能な外部機器３００と接続可能であり、外部機器３００から入力した第３の音声信号３１０を出力する外部機器接続部１３０と、
前記第１の音声信号、前記第２の音声信号及び第３の音声信号３１０のうち１つの音声信号を入力し、入力した前記音声信号の音量レベルを調節して出力する音量調節部１５０と、
音量調節部１５０から入力された前記音声信号をスピーカ４００へ出力する音声出力部１６０と、
ラジオ受信部１２０から入力される前記第１の音声信号あるいは前記第２の音声信号及び外部機器接続部１３０から入力される第３の音声信号３１０のいずれか一方を切り替えて音量調節部１５０に出力可能な音源切替部１４０と、
スピーカ４００から出力される音声の音源をＦＭラジオ受信部１２２、ＡＭラジオ受信部１２３及び外部機器３００から選択する第１の操作と、ＦＭラジオ受信部１２２あるいはＡＭラジオ受信部１２３における前記受信周波数を変更する第２の操作と、音量調節部１５０における前記音声信号の音量レベルを設定する第３の操作と、表示部１１０の表示内容を変更する第４の操作と、を行う操作部１７０と、を備え、
制御部１８０は、前記第１の操作に応じてラジオ受信部１２０及び／あるいは音源切替部１４０を制御してスピーカ４００から出力する音声の音源をＦＭラジオ受信部１２２、ＡＭラジオ受信部１２３及び外部機器３００から選択する音源選択制御と、前記第２の操作に応じてラジオ受信部１２０を制御して前記受信周波数を変更する受信周波数変更制御と、前記第３の操作に応じて音量調節部１５０を制御して前記音声信号の音量レベルを変更する音量変更制御と、前記第４の操作に応じて表示部１１０を制御して表示部１１０の表示内容を変更する表示変更制御と、表示部１１０を制御して前記各制御における状態変化を表示部１１０に表示させる表示制御と、を行う。
【００５９】
また、車両用表示装置１００において、操作部１７０は、前記第１の操作を行うための第１の操作手段（ＳＲＣボタン１７１）と、前記第２、第３の操作を行うための第２の操作手段（４方向スイッチ１７２）と、を備える。
【００６０】
また、車両用表示装置１００において、外部機器接続部１３０は、外部機器３００の接続状態を検出する外部機器接続状態検出部１３２を有し、
制御部１８０は、外部機器接続状態検出部１３２からの状態検出信号に基づいて外部機器３００が外部機器接続部１３０に接続されたと判断した場合に、音源切替部１４０を制御してスピーカ４００から出力する音声の音源を外部機器３００に変更する。
【産業上の利用可能性】
【００６１】
本発明は、車両用表示装置に利用可能である。
【符号の説明】
【００６２】
１００  車両用表示装置
１１０  表示部
１１１  液晶表示パネル
１１１ａ  第１の表示領域
１１１ｂ  第２の表示領域
１１１ｃ  第３の表示領域
１１１ｄ  第４の表示領域
１１１ｅ  第５の表示領域
１１１ｆ  文字セグメント
１１１ｇ  文字セグメント
１１２  化粧板
１１３  セグメント表示部
１１３ａ  車速表示部
１１３ｂ〜１１３ｊ  警告表示部
１２０  ラジオ受信部
１２１  分波部
１２２  ＦＭラジオ受信部
１２３  ＡＭラジオ受信部
１２４  受信バンド切替部
１２４ａ  入力端子
１２４ｂ  入力端子
１２４ｓ  スイッチング素子
１２４ｙ  出力端子
１２５  ラジオ動作制御部
１３０  外部機器接続部
１３１  オーディオジャック
１３２  外部機器接続状態検出部
１４０  音源切替部
１４０ａ  入力端子
１４０ｂ  入力端子
１４０ｓ  スイッチング素子
１４０ｙ  出力端子
１５０  音量調節部
１５１  減衰器
１５２  音量レベル指定部
１６０  音声出力部
１７０  操作部
１７１  ソース（ＳＲＣ）ボタン（第１の操作手段）
１７２  ４方向スイッチ（第２の操作手段）
１７２ａ  ＴＵＮＥ−ＵＰキー
１７２ｂ  ＴＵＮＥ−ＤＯＷＮキー
１７２ｃ  ＶＯＬ−ＵＰキー
１７２ｄ  ＶＯＬ−ＤＯＷＮキー
１７３  表示変更（ＤＳＰ）ボタン
１７４  電源（ＰＷＲ）ボタン
１７５  プリセット（ＰＲＥ）ボタン
１８０  制御部
１８１  ＣＰＵ
１８２  ＲＯＭ
１８３  ＲＡＭ
１８４  インターフェース
１９０  ＵＳＢコネクタ
【図１】
2017061171.tif 000003
【図２】
2017061171.tif 000004
【図３】
2017061171.tif 000005
【図４】
2017061171.tif 000006
【図５】
2017061171.tif 000007
【図６】
2017061171.tif 000008
【図７】
2017061171.tif 000009
【図８】
2017061171.tif 000010
【図９】
2017061171.tif 000011
【図１０】
2017061171.tif 000012
【図１１】
2017061171.tif 000013
【図１２】
2017061171.tif 000014